(57)【要約】本発明は、巻付型カートンに関するものであって、順次的に折曲可能に連結された複数の壁パネルを具備し、これら壁パネルが、ブランクの両端に配置された一対をなす底壁パネル（１２，２２）を備え、一方の底壁パネル（１２）が、梁形成部分（１４）を介して、隣接した壁パネル（１６）に対して連結され、梁形成部分が、底壁パネル（１２）に対して折曲可能に連結されたブラケットパネル（３４）と、双方がブラケットパネル（３４）に対して連結されているとともに隣接壁パネル（１６）のところにまで延出された一対をなす支持パネル（３８，４０）と、を備えている。
2004529826.tif 000002
【特許請求の範囲】
【請求項１】
２つ以上の物品をパッケージングするための巻付型カートンであって、
隣接する物品どうしの間に凹所が形成されている場合に、
物品を巻き付け得るようなチューブ状構造を形成し得るよう構成された、頂壁と、側壁と、底壁と、梁構造と、を具備し、
前記梁構造が、前記凹所内に配置され得るようにして構成されているとともに、この梁構造の一端において、前記底壁に対して折曲可能に連結されていることを特徴とするカートン。
【請求項２】
請求項１記載のカートンにおいて、
第２側壁が設けられ、
前記梁構造の第２端が、前記第２側壁に対して折曲可能に連結されていることを特徴とするカートン。
【請求項３】
請求項２記載のカートンにおいて、
前記第２端が、前記頂壁と前記底壁との間の高さ位置において、前記第２側壁に対して折曲可能に連結されていることを特徴とするカートン。
【請求項４】
請求項１記載のカートンにおいて、
前記梁構造の前記第２端が、前記カートンの前記頂壁に対して折曲可能に連結されていることを特徴とするカートン。
【請求項５】
請求項１〜４のいずれか１項に記載のカートンにおいて、
前記梁構造が、共通の長手方向エッジに沿って互いに折曲可能に連結された一対をなす２つの支持パネルを備えていることを特徴とするカートン。
【請求項６】
請求項５記載のカートンにおいて、
前記２つの支持パネルが、これらの間に、鋭角を形成しており、前記梁構造の形成を容易なものとしていることを特徴とするカートン。
【請求項７】
請求項１記載のカートンにおいて、
前記梁構造が、一対をなす支持パネルと、これら支持パネルの間に位置しているとともにこれら支持パネルどうしをそれぞれの上側長手方向エッジに沿って折曲可能に連結している中央パネルと、を備えていることを特徴とするカートン。
【請求項８】
請求項５〜７のいずれか１項に記載のカートンにおいて、
前記支持パネルが、１つまたは複数のブラケットパネルを介して、隣接している壁パネルに対して折曲可能に連結されていることを特徴とするカートン。
【請求項９】
請求項８記載のカートンにおいて、
前記ブラケットパネルの形状が、台形であることを特徴とするカートン。
【請求項１０】
請求項８または９記載のカートンにおいて、
さらに、前記ブラケットパネルに対して折曲可能に連結されているとともに前記ブラケットパネルに対して折り曲げられることとなる一対をなすガセットパネルを具備し、
前記一対をなすガセットパネルが、前記支持パネルと前記ブラケットパネルとを折曲可能に連結していることを特徴とするカートン。
【請求項１１】
請求項１０記載のカートンにおいて、
前記ガセットパネルが、前記各支持パネルに対して折り曲げられることによって、隣接した物品の壁に対して当接することを特徴とするカートン。
【請求項１２】
請求項１〜１１のいずれか１項に記載のカートンにおいて、
前記支持パネルの各々が、少なくとも部分的に、隣接した物品の壁に対して当接していることを特徴とするカートン。
【請求項１３】
請求項１〜１２のいずれか１項に記載のカートンにおいて、
前記底壁が、互いに固定された一対をなす第１および第２の底壁パネルを備え、
前記梁構造が、前記一端において、前記第１および第２の底壁パネルのうちの一方に対して連結されていることを特徴とするカートン。
【請求項１４】
請求項１３記載のカートンにおいて、
前記第１底壁パネルが、前記第１側壁パネルに対して折曲可能に連結され、
前記第２底壁パネルが、前記梁構造の前記一端に対して連結されていることを特徴とするカートン。
【請求項１５】
巻付型カートンを形成するためのブランクであって、
順次的に折曲可能に相互連結された複数の壁パネルを具備し、
これら壁パネルが、前記ブランクの両端に配置された一対をなす底壁パネルを備え、
一方の底壁パネルが、梁形成部分を介して、隣接した壁パネルに対して連結され、
前記梁形成部分が、前記一方の底壁パネルに対して折曲可能に連結されたブラケットパネルと、双方が前記ブラケットパネルに対して連結されているとともに前記隣接壁パネルのところにまで延出された一対をなす支持パネルと、を備えていることを特徴とするブランク。
【請求項１６】
請求項１５記載のブランクにおいて、
前記梁形成部分の両端が、第１折曲線に沿って前記隣接壁パネルに対して折曲可能に連結されていることを特徴とするブランク。
【請求項１７】
請求項１６記載のブランクにおいて、
前記隣接壁パネルが、第２折曲線に沿って頂壁パネルに対して折曲可能に連結された側壁パネルであり、
前記第１折曲線と前記第２折曲線との間の間隔が、パッケージング対象をなす物品の頂面と底面との間の間隔よりも小さいことを特徴とするブランク。
【請求項１８】
請求項１６記載のブランクにおいて、
前記隣接壁パネルが、前記カートンの頂壁パネルであることを特徴とするブランク。
【請求項１９】
請求項１５〜１８のいずれか１項に記載のブランクにおいて、
前記一対をなす支持パネルが、中央パネルによって隔離されていることを特徴とするブランク。
【請求項２０】
請求項１５〜１９のいずれか１項に記載のブランクにおいて、
前記ブラケットパネルの形状が、台形であることを特徴とするブランク。
【請求項２１】
請求項１５〜１９のいずれか１項に記載のブランクにおいて、
前記ブラケットパネルの形状が、三角形であることを特徴とするブランク。
【請求項２２】
請求項１９〜２１のいずれか１項に記載のブランクにおいて、
さらに、前記ブラケットパネルに対して折曲可能に連結された一対をなすガセットパネルを具備し、
これら一対をなすガセットパネルが、前記支持パネルと前記ブラケットパネルとを折曲可能に連結していることを特徴とするブランク。
【請求項２３】
請求項１５〜２２のいずれか１項に記載されたブランクからカートンを形成するための方法であって、
（i） 隣接した物品どうしの間に凹所を有しつつアレイ状に配置された複数の物品を、前記ブランクに対して導入し；
（ii）前記凹所内に前記梁形成部分を挿入することにより、前記支持パネルの折曲を引き起こし、これにより、隣接している物品の壁に対して係合させ；
（iii） 前記底壁パネルどうしを互いにオーバーラップさせつつ互いに固定する；
ことを特徴とする方法。
【発明の詳細な説明】
【技術分野】
【０００１】
本発明は、カートン、ならびに、カートンを形成するためのブランク、に関するものである。より詳細には、本発明は、例えばいわゆるブリックパックといったような相互連結された複数のカップやポットの間の凹所内に適合し得るよう構成された梁構造を備えたカートンに関するものである。
【背景技術】
【０００２】
そのようなグループ化は、一対として構成することも、また、例えば２個のパッケージどうしを２列で並べるとか、あるいは、３個や４個や５個のものを２列で並べるとか、あるいは、所望の列数で並べるとか、いったような他の任意の所望配列として構成することもできる。通常は、そのような複数の容器は、比較的小さいものであり、輸送時の取扱いを効率的なものとしたりあるいは小売用の陳列をしたりする際には、段々式にひな壇的なものとして複数の物品を並べることが望ましい。
【０００３】
この応用のために、各カップまたは各ポットは、個別物品とされている。いくつかのカップやポットは、複数の個別部分へと分割される（例えば、ヨーグルト用のポット内においては、香料が、ヨーグルトとは別体として配置される）。
【０００４】
本発明は、特に、カートンの側壁または頂壁と、カートンの底壁と、を相互連結する梁構造であって、その梁の長手方向軸が、カートンの頂壁がなす面に対して傾斜しているとともに、ポットどうしの間の凹所に対して係合しているような、梁構造に関するものである。従来技術における梁は、カートンを、直立させた物品グループに対して、下方から適用することを必要としていた。そのようなカートンの例は、Goossens Beauvais 社による欧州特許出願公開第０ ９７２ ７１８号明細書、および、Calvert 氏による仏国特許出願公開第２ ４２３ ３９９号明細書に開示されている。
【０００５】
そのようなカートンの１つの問題点は、従来からの巻付型パッケージング機械に対して不適合であることである。従来からの巻付型パッケージング機械においては、カートンは、物品グループに対して上方または下方から適用され、物品グループに対して巻き付けられる。
【特許文献１】
欧州特許出願公開第０ ９７２ ７１８号明細書
【特許文献２】
仏国特許出願公開第２ ４２３ ３９９号明細書
【発明の開示】
【課題を解決するための手段】
【０００６】
本発明は、従来技術における問題点を解消するあるいは少なくとも部分的に軽減するものである。
【０００７】
本発明の第１見地においては、２つ以上の物品をパッケージングするための巻付型カートンであって、隣接する物品どうしの間に凹所が形成されている場合に、物品を巻き付け得るようなチューブ状構造を形成し得るよう構成された、頂壁と、側壁と、底壁と、梁構造と、を具備し、梁構造が、凹所内に配置され得るようにして構成されているとともに、この梁構造の一端において、底壁に対して折曲可能に連結されているようなカートンを提供する。
【０００８】
好ましくは、カートンには、第２側壁が設けられ、梁構造の第２端が、第２側壁に対して折曲可能に連結される。より好ましくは、第２端は、物品の上エッジと底面との間において、第２側壁に対して折曲可能に連結される。
【０００９】
これに代えて、梁構造の第２端は、カートンの頂壁に対して折曲可能に連結される。
【００１０】
本発明のこの見地における付加的な特徴点においては、梁構造は、共通の長手方向エッジに沿って互いに折曲可能に連結された一対をなす２つの支持パネルを備えている。
【００１１】
２つの支持パネルは、これらの間に、鋭角を形成することができ、これにより、梁構造の形成を容易なものとすることができる。
【００１２】
本発明のこの見地における他の付加的な特徴点においては、さらに、中央パネルを具備し、この中央パネルは、一対をなす支持パネルの間に位置しているとともに、これら支持パネルどうしを共通の長手方向エッジに沿って折曲可能に連結している。
【００１３】
本発明のこの見地におけるさらに他の付加的な特徴点においては、支持パネルは、１つまたは複数のブラケットパネルを介して、隣接している壁パネルに対して折曲可能に連結される。ブラケットパネルの形状は、台形とすることができる。
【００１４】
いくつかの実施形態においては、さらに、ブラケットパネルに対して折曲可能に連結されているとともにブラケットパネルに対して折り曲げられることとなる一対をなすガセットパネルを具備し、これら一対をなすガセットパネルは、支持パネルとブラケットパネルとを折曲可能に連結する。ガセットパネルは、好ましくは、各支持パネルに対して折り曲げられることによって、隣接した物品の壁に対して当接する。
【００１５】
本発明のこの見地における付加的な特徴点においては、各支持パネルの一部は、隣接した物品の壁に対して当接することができる。
【００１６】
本発明の第２見地においては、巻付型カートンを形成するためのブランクであって、順次的に折曲可能に相互連結された複数の壁パネルを具備し、これら壁パネルが、ブランクの両端に配置された一対をなす底壁パネルを備え、一方の底壁パネルが、梁形成部分を介して、隣接した壁パネルに対して連結され、梁形成部分が、底壁パネルに対して折曲可能に連結されたブラケットパネルと、双方がブラケットパネルに対して連結されているとともに隣接壁パネルのところにまで延出された一対をなす支持パネルと、を備えているようなブランクを提供する。
【００１７】
好ましくは、梁形成部分の両端は、側壁パネルに対して折曲可能に連結される。より好ましくは、側壁パネルと梁形成部分とを折曲可能に連結している折曲線と、梁形成部分と頂壁とを連結している折曲線と、の間の間隔は、パッケージング対象をなす物品の頂面と底面との間の間隔よりも小さいものとされる。
【００１８】
これに代えて、梁形成部分の第１端は、カートンの頂壁パネルに対して折曲可能に連結される。
【００１９】
本発明のこの見地における付加的な特徴点においては、一対をなす支持パネルは、中央パネルによって隔離することができる。
【００２０】
本発明のこの見地における他の付加的な特徴点においては、ブラケットパネルの形状は、台形とされる。これに代えて、ブラケットパネルの形状は、三角形とすることができる。
【００２１】
本発明のこの見地における他の付加的な特徴点においては、さらに、ブラケットパネルに対して折曲可能に連結された一対をなすガセットパネルを具備し、これら一対をなすガセットパネルは、支持パネルとブラケットパネルとを折曲可能に連結している。
【００２２】
本発明の第３見地においては、ブランクからカートンを形成するための方法であって、（i） 隣接した物品どうしの間に凹所を有しつつアレイ状に配置された複数の物品を、ブランクに対して導入し；（ii）凹所内に梁形成部分を挿入することにより、支持パネルの折曲を引き起こし、これにより、隣接している物品の壁に対して係合させ；（iii） 底壁パネルどうしを互いにオーバーラップさせつつ互いに固定する；という方法を提供する。
【００２３】
以下においては、本発明の例示としての実施形態について、添付図面を参照して説明する。
【００２４】
添付図面に示すように、特に図１に示すように、ブランク（１０）は、厚紙あるいは他の適切な折曲可能なシート材料から形成されている。このブランク（１０）は、本発明による巻付型カートンを形成するためのものであって、１つまたは複数の物品をパッケージングするための複数のパネルと、梁構造（１４）を形成するための複数のパネルと、を備えている。ブランク（１０）は、頂壁と底壁と両対向側壁とを備えたカートンを形成するための、一連の複数のパネルを備えている。この実施形態においては、第１底壁パネル（１２）と、梁構造（１４）と、第１側壁パネル（１６）と、頂壁パネル（１８）と、第２側壁パネル（２０）と、第２底壁パネル（２２）と、が設けられている。これらのパネルは、隣り合うものどうしがそれぞれ対応する折曲線（３０，３２，２４，２６，２８）に沿って折曲可能に相互連結されている。
【００２５】
梁構造（１４）は、第１底壁パネル（１２）と第１側壁パネル（１６）との間にわたって延在しているとともに、第１底壁パネル（１２）と第１側壁パネル（１６）とに対して、一対をなすブラケット構造を介して、折曲可能に連結されている。よって、梁構造（１４）は、（１つまたは複数の）物品を支持し得るよう、物品の部分どうしの間に介在することができる。好ましくは、梁構造（１４）は、第１底壁パネル（１２）と第１側壁パネル（１６）とから少なくとも部分的に切込形成されている。これにより、第１底壁パネル（１２）と第１側壁パネル（１６）とのうちで、梁構造を形成していない部分が、外壁の一部を形成している。
【００２６】
この実施形態においては、各ブラケット構造は、ブラケットパネル（３４，３６）を備えている。ブラケットパネル（３４）は、第１底壁パネル（１２）の一エッジに対して折曲線（３０）に沿って折曲可能に連結されており、ブラケットパネル（３６）は、第１側壁パネル（１６）に対して折曲線（３２）に沿って折曲可能に連結されている。好ましくは、ブラケットパネル（３４，３６）は、実質的に台形形状とされており、折曲線（３０，３２）は、そのような台形形状の最長エッジに沿って設けられている。ブラケットパネル（３４）は、互いに対向しているそれぞれの斜辺エッジのところにおいて、それぞれ対応する折曲線（４４ａ，４４ｂ）に沿って一対をなすガセットパネル（４２ａ，４２ｂ）に対して折曲可能に連結されており、ブラケットパネル（３６）は、互いに対向しているそれぞれの斜辺エッジのところにおいて、それぞれ対応する折曲線（４４ｃ，４４ｄ）に沿ってさらなる対をなすガセットパネル（４２ｃ，４２ｄ）に対して折曲可能に連結されている。ガセットパネル（４２ａ，４２ｂ，４２ｃ，４２ｄ）は、図１に示す好ましい実施形態においては、実質的に三角形形状とされている。当然のことながら、ブラケットパネルの形状、および／または、ガセットパネルの形状は、例示した形状に限定されるものではなく、他の形状を使用することも想定される。例えば実質的に逆“Ｖ”字形状横断面の梁を形成することが想定される。
【００２７】
ガセットパネル（４２ａ，４２ｂ）は、それぞれ第１および第２物品支持パネル（３８，４０）に対して、折曲線（４６ａ）に沿って折曲可能に連結されている。同様に、ガセットパネル（４２ｃ，４２ｄ）は、それぞれ第１および第２物品支持パネル（３８，４０）の反対側端部に対して、折曲線（４６ｂ）に沿って折曲可能に連結されている。
【００２８】
この実施形態においては、中央パネル（４８）が、物品支持パネル（３８，４０）を隔離しているとともに、各側方エッジのところにおいて、それら物品支持パネル（３８，４０）に対して、折曲線（５０，５２）に沿って折曲可能に連結されている。中央パネル（４８）は、この実施形態においては、ブラケットパネル（３４，３６）の最短エッジに対して、折曲線（４６ａ，４６ｂ）に沿って折曲可能に連結されている。
【００２９】
図２，３，４に示すようなカートンの組立に関しては、本発明によるカートンを、一連をなす連続した折曲操作によって、および付加的には接着操作によって、形成することが想定される。そのような操作は、公知の直線ライン機械において行うことができる。すなわち、カートンを組み立てるに際して、カートンを回転させたりひっくり返したりする必要がない。折曲プロセスは、後述のものに限定されるものではなく、特定の製造要求に応じて変更することができる。物品は、理解の明瞭化のために反転して（ひっくり返して）図示されているだけである。
【００３０】
まず最初に、図２に示すように、カートンブランク（１０）の頂壁パネル（１８）を、複数の物品（Ａ）に対しての相対的鉛直方向移動によって、複数の物品（Ａ）の上面に対して当接させる。図３に示すように、次に、ブランク（１０）を、部分的に立体構造化する。つまり、両側壁パネル（１６，２０）を折曲線（２４，２６）回りに内向きに折り曲げ、これにより、互いに対向配置された一対をなす側壁を形成する。ブラケットパネル（３４，３６）を、第１底壁パネル（１２）および第１側壁パネル（１６）から折り曲げる。これにより、第１底壁パネル（１２）を、物品（Ａ）の底面上に位置させる。
【００３１】
これとは別に、あるいは、これと同時に、梁構造（１４）を、第１および第２支持パネル（３８，４０）を共通の折曲線（５０，５２）に沿って中央パネル（４８）に対して互いに傾斜するようにして折り曲げることによって（図４）、形成する。これにより、中央パネル（４８）が、最も高い位置となる。第１および第２支持パネル（３８，４０）の折曲操作は、同時に、ブラケットパネル（３４，３６）からのガセットパネル（４２ａ，４２ｂ，４２ｃ，４２ｄ）の折曲を引き起こす。
【００３２】
有利には、第１および第２支持パネルは、隣接している物品（Ａ）どうしの間のギャップ内に梁構造を導入することによって、自動的に折り曲げられる。これを得るために、中央パネル（４８）の幅は、隣接するポットどうしの間の間隔以下とされる。しかしながら、非折曲状態での梁構造（１４）の全体幅は、隣接するポットどうしの間の間隔よりも広いものとされる。折り曲げられた厚紙の本来的弾性により、支持パネル（３８，４０）と物品との間において嵌合が維持されることが保証される。
【００３３】
その後、第２底壁パネル（２２）を、物品（Ａ）の上方へと折り曲げ、接着剤を使用して、あるいは、例えば機械的ロック手段といったような当業者には公知の他の適切な手段を使用して、第１底壁パネル（１２）に対して固定する。これにより、底壁が完成する。この時点で、カートンは、図４，５，６に示すように完全に立体構造化しており、実質的に逆“Ｕ”字形状横断面を有した梁を備えている。
【００３４】
梁構造（１４）に対する特定の要求に応じて、折曲線（４４ａ，４４ｂ，４４ｃ，４４ｄ）および／または折曲線（４６ａ，４６ｂ）の場所を変えることにより、支持パネル（３８，４０）間の角度関係を変更可能とすることが想定される。ブラケットパネル（３４，３６）は、台形形状に限定されるものではない。他の分類をなす実施形態においては、両支持パネルを上向きに折り曲げて、反転した構成とされた梁を形成することが想定される。いくつかの実施形態においては、第２底壁パネルを、底面全体をカバーし得るように延出することができ、可能性として、第１側壁パネル（１６）に対して固定されるフラップを設けることができる。
【００３５】
実施形態によっては、梁支持パネルは、図５に示すように、撓むことができる。これにより、物に対して係合することができて、カートンの剛直性を向上させることができる。このような実施形態においては、支持パネルは、係合ストリップとして機能する。好ましくは、パネル（３８，４０）は、折曲線（４４ａ，５０，４４ｄ；４４ｄ，５２，４４ｃ）に沿って撓み、これら折曲線は、隣接する物品の形状に対してより良好に適合するように、向きを変えることができる。
【００３６】
次に、図７，８，９に示す本発明の第２実施形態について、説明する。これらの図においては、可能であれば、同様の部材には、１００を加算した対応符号を使用している。第２実施形態は、第１実施形態と同様であるので、相違点についてのみ、以下詳細に説明する。
【００３７】
特に、図７のブランク（１１０）に示すように、この第２実施形態は、第１実施形態と比較して、第１側壁パネルが省略されているとともに、梁構造（１１４）が折曲線（１３２）に沿って頂壁パネル（１１８）に対して直接的に折曲可能に連結されている点において、相違している。加えて、梁構造は、第１側壁パネルの省略を補償し得るよう、長さが延長されている。
【００３８】
梁構造（１１４）についてさらに詳細に説明すれば、この実施形態においては、支持パネル（１３８，１４０）は、共通の折曲線（１４３）に沿って互いに折曲可能に連結されている。さらに、ガセットパネルが省略されている。そのため、支持パネル（１３８，１４０）は、台形形状とされていて、ブラケットパネル（１３４，１３６）に対してそれぞれ対応する折曲線（１３５，１３９；１３７，１４１）に沿って直接的に折曲可能に連結されている。
【００３９】
図８，９に示すように、カートンを完成させるためにカートンを組み立てるに際しては、この第２実施形態におけるカートンの場合にも、一連をなす連続した折曲操作および接着操作によって、形成することが想定される。そのような操作は、公知の直線ライン機械において行うことができる。すなわち、カートンを組み立てるに際して、カートンを回転させたりひっくり返したりする必要がない。
【００４０】
折曲操作は、実質的に第１実施形態の場合と同様であって、ブランクから、複数の物品（Ａ）を包囲するチューブ状カートンを形成する。その後、接着剤を使用してあるいは他の公知の適切な手段を使用して、第１および第２底壁パネル（１１２，１２２）を互いに固定し、図８に示すような複合底壁パネルを形成する。
【００４１】
梁構造（１１４）に関しては、第１および第２支持パネル（１３８，１４０）を、共通の折曲線（１４３）に沿って、互いに対して傾斜した位置関係へと折り曲げることによって、構成する。この実施形態においては、折曲線（１４３）が、最も上に位置することとなる。
【００４２】
有利には、第１および第２支持パネルは、隣接している物品（Ａ）どうしの間のギャップ内に梁構造（１１４）を導入することによって、自動的に折り曲げられる。これを得るために、同一平面状態とされた時の支持パネル（１３８，１４０）の幅は、隣接するポットどうしの間の間隔よりも広いものとされる。この場合にも、折り曲げられた厚紙の本来的弾性により、支持パネル（１３８，１４０）と物品との間において嵌合が維持されることが保証される。
【００４３】
当業者であれば、巻付型構成と、複数の物品の間に介装された傾斜梁と、の組合せにより、物品（Ａ）とカートンとの間の相対移動が実質的に防止されることを、理解されるであろう。そうでない場合には、カートンの自動的取扱いとカートンの積層との間において妥協しなければならなくなってしまう。よって、梁構造を使用することによって、物品とカートンとの間の水平方向相対移動を阻止するために従来より使用されてきた端部保持手段を、代替することができる。そのような端部保持手段は、一般に、立体構造化プロセスの一部として、付加的な折曲ステップを必要とする。
【００４４】
本明細書において、カートンの各パネルに関しての、例えば『頂』や『底』や『端』や『側』や『上』や『下』といったような向きを表す用語は、相対的なものであって、必要に応じてカートンの向きを変更し得ることは、理解されるであろう。折曲可能な連結は、単一の折曲線だけによって構成し得るものではない。実際、折曲可能な連結は、本発明の範囲を逸脱することなく、切込線や切取線や折曲線の中の１つまたは複数のものから形成することができる。
【００４５】
本発明およびその好ましい実施形態は、巻付型カートンの梁構造に関するものであって、少なくとも１つの物品を固定的に保持するに際して十分な強度を付与し得る形状とされているとともに、同時に、梁構造に対して伝達された負荷をカートンによって吸収し得るような十分な程度のフレキシブルさをも備えている。ブランクの形状は、必要とされる厚紙の量を最小化する。本発明によるカートンは、手動によってもまた自動機械によっても、物品アレイに対して適用することができる。
【図面の簡単な説明】
【００４６】
【図１】本発明の一実施形態による梁構造を備えた巻付型カートンを形成するためのブランクを示す図である。
【図２】図１のブランクをひっくり返して示す斜視図であって、導入するための物品も示されている。
【図３】カートン立体化プロセスにおける各ステージを、ひっくり返して示す斜視図である。
【図４】カートン立体化プロセスにおける各ステージを、ひっくり返して示す斜視図である。
【図５】図１のブランクから形成されて完全に立体化されて物品導入されたカートンを示す斜視図である。
【図６】図１のブランクから形成されて完全に立体化されて物品導入されたカートンを示す斜視図である。
【図７】本発明の第２実施形態による梁構造を備えた巻付型カートンを形成するためのブランクを示す図である。
【図８】図７のブランクから形成されて完全に立体化されて物品導入されたカートンを示す斜視図である。
【図９】図７のブランクから形成されて完全に立体化されて物品導入されたカートンを示す斜視図である。
【符号の説明】
【００４７】
１０    ブランク
１２    第１底壁パネル
１４    梁構造（梁形成部分）
１６    第１側壁パネル
１８    頂壁パネル
２０    第２側壁パネル
２２    第２底壁パネル
３４    ブラケットパネル
３６    ブラケットパネル
３８    第１物品支持パネル
４０    第２物品支持パネル
４２ａ  ガセットパネル
４２ｂ  ガセットパネル
４２ｃ  ガセットパネル
４２ｄ  ガセットパネル
４８    中央パネル
１１０    ブランク
１１２    第１底壁パネル
１１４    梁構造（梁形成部分）
１１８    頂壁パネル
１２２    第１底壁パネル
１３４    ブラケットパネル
１３６    ブラケットパネル
１３８    支持パネル
１４０    支持パネル
【国際公開パンフレット】
2004529826.tif 000003
2004529826.tif 000004
2004529826.tif 000005
2004529826.tif 000006
2004529826.tif 000007
2004529826.tif 000008
2004529826.tif 000009
2004529826.tif 000010
2004529826.tif 000011
2004529826.tif 000012
2004529826.tif 000013
2004529826.tif 000014
2004529826.tif 000015
2004529826.tif 000016
2004529826.tif 000017
2004529826.tif 000018
2004529826.tif 000019
2004529826.tif 000020
2004529826.tif 000021
【国際調査報告】
2004529826.tif 000022
2004529826.tif 000023